(57)【要約】【課題】パネルを、施工対象の所望の位置に対して、円滑に貼り付けることができる粘着層付きパネルを提供する。【解決手段】  パネル２と、パネル２の裏面２Ｂに積層される粘着層３と、粘着層３に対してパネル２の反対側に積層されるセパレーター４とを備える粘着層付きパネル１において、セパレーター４に、粘着層３を覆う貼付部分５と、貼付部分５から延びる延長部分６と、延長部分６に設けられ、延長部分６が貼付部分５に折り重ねられた状態で、パネル２から突出するタブ１２とを設ける。作業者は、延長部分６を貼付部分５に折り重ねた状態で、タブ１２を引っ張ることにより、セパレーター４を、粘着層３から剥離する。【選択図】図１
2019065653.tif 000002
【特許請求の範囲】
【請求項１】
パネルと、
前記パネルの一方面に積層される粘着層と、
前記粘着層に対して前記パネルの反対側に積層されるセパレーターと
を備え、
前記セパレーターは、
前記粘着層を覆うように前記粘着層に貼り付けられる貼付部分と、
前記貼付部分から延び、前記貼付部分に折り重ねることができる延長部分と
を有し、
前記延長部分は、前記延長部分が前記貼付部分に折り重ねられた状態で、前記パネルから突出する第１タブを有し、
前記セパレーターは、前記延長部分が前記貼付部分に折り重ねられた状態で、前記第１タブが引っ張られることにより、前記粘着層から剥離可能であることを特徴とする、粘着層付きパネル。
【請求項２】
前記貼付部分は、本体部と、前記本体部から分離可能な分離部とを有し、
前記分離部が前記本体部から分離されることにより、前記粘着層の一部が露出されることを特徴とする、請求項１に記載の粘着層付きパネル。
【請求項３】
前記分離部は、前記延長部分が前記貼付部分に折り重ねられた状態で、前記パネルから突出する第２タブを有することを特徴とする、請求項２に記載の粘着層付きパネル。
【請求項４】
前記延長部分は、前記パネルの他方面を覆うように、前記パネルに対して前記粘着層の反対側に折り返すことができることを特徴とする、請求項１〜３のいずれか一項に記載の粘着層付きパネル。
【請求項５】
パネルに粘着層を積層するためのセパレーター付き粘着層であって、
前記粘着層が前記パネルに積層されたときに前記パネルに接触する第１面と、前記粘着層が前記パネルに積層されたときに前記第１面に対して前記パネルの反対側に配置される第２面とを有する粘着層と、
前記粘着層の前記第１面に積層され、前記粘着層が前記パネルに積層されるときに、前記粘着層から剥離される第１セパレーターと、
前記粘着層の第２面に積層される第２セパレーターと
を備え、
前記第２セパレーターは、
前記粘着層を覆うように前記粘着層に貼り付けられる貼付部分と、
前記貼付部分から延び、前記貼付部分に折り重ねることができる延長部分と
を有し、
前記延長部分は、前記延長部分が前記貼付部分に折り重ねられた状態で、前記パネルから突出する第１タブを有し、
前記第２セパレーターは、前記延長部分が前記貼付部分に折り重ねられた状態で、前記第１タブが引っ張られることにより、前記粘着層から剥離可能であることを特徴とする、セパレーター付き粘着層。
【請求項６】
粘着層を覆うためのセパレーターであり、
前記粘着層に貼り付けられる貼付部分と、
前記貼付部分から延び、前記貼付部分に折り重ねることができる延長部分と
を有し、
前記貼付部分は、
本体部と、
前記本体部から分離可能であり、前記本体部から分離されることにより、前記粘着層の一部を露出できる分離部と
を有し、
前記延長部分は、前記延長部分が前記貼付部分に折り重ねられた状態で、前記貼付部分から突出する第１タブを有し、
前記分離部は、前記延長部分が前記貼付部分に折り重ねられた状態で、前記貼付部分から突出する第２タブを有することを特徴とする、セパレーター。
【請求項７】
請求項１〜４のいずれか一項に記載の粘着層付きパネルを施工対象に施工する施工方法であって、
前記第１タブが前記パネルから突出するように、前記延長部分を前記貼付部分に折り重ねる折り重ね工程と、
前記延長部分を前記貼付部分に折り重ねた状態で、前記延長部分と前記貼付部分とが前記粘着層と前記施工対象との間に配置されるように、前記施工対象に対する前記パネルの位置を決める位置決め工程と、
前記第１タブを引っ張って前記セパレーターを前記粘着層から剥離しつつ、前記粘着層を前記施工対象に貼り付ける貼付工程と
を含むことを特徴とする、粘着層付きパネルの施工方法。
【発明の詳細な説明】
【技術分野】
【０００１】
本発明は、粘着層付きパネル、セパレーター付き粘着剤、セパレーター、および、粘着層付きパネルの施工方法に関する。
【背景技術】
【０００２】
従来、タイルなどのパネルを、粘着体で、壁面などの施工対象に貼り付けることが知られている（下記特許文献１参照）。
【先行技術文献】
【特許文献】
【０００３】
【特許文献１】特開２００１−２９５４４９号公報
【発明の概要】
【発明が解決しようとする課題】
【０００４】
しかし、パネルを施工対象の所望の位置に貼り付けようとした場合、粘着体が意図せず施工対象に粘着するなどして、パネルを、施工対象の所望の位置に対して、円滑に貼り付けることができない場合がある。
【０００５】
そこで、本発明は、パネルを、施工対象の所望の位置に対して、円滑に貼り付けることができる粘着層付きパネル、粘着層付きパネルの製造に用いられるセパレーター付き粘着剤、粘着層付きパネルの粘着層を覆うセパレーター、および、粘着層付きパネルの施工方法を提供する。
【課題を解決するための手段】
【０００６】
本発明［１］は、パネルと、前記パネルの一方面に積層される粘着層と、前記粘着層に対して前記パネルの反対側に積層されるセパレーターとを備え、前記セパレーターが、前記粘着層を覆うように前記粘着層に貼り付けられる貼付部分と、前記貼付部分から延び、前記貼付部分に折り重ねることができる延長部分とを有し、前記延長部分が、前記延長部分が前記貼付部分に折り重ねられた状態で、前記パネルから突出する第１タブを有し、前記セパレーターが、前記延長部分が前記貼付部分に折り重ねられた状態で、前記第１タブが引っ張られることにより、前記粘着層から剥離可能である、粘着層付きパネルを含む。
【０００７】
このような構成によれば、延長部分を貼付部分に折り重ねて、第１タブを引っ張るという作業で、セパレーターを粘着層から剥離することができる。
【０００８】
そのため、延長部分を貼付部分に折り重ねて、施工対象に対するパネルの位置を決め、その位置を維持した状態で、第１タブを引っ張って、セパレーターを粘着層から剥離しながら、粘着層を施工対象に貼り付けることができる。
【０００９】
その結果、パネルを、施工対象の所望の位置に対して、円滑に貼り付けることができる。
【００１０】
本発明［２］は、前記貼付部分が、本体部と、前記本体部から分離可能な分離部とを有し、前記分離部が前記本体部から分離されることにより、前記粘着層の一部が露出される、上記［１］の粘着層付きパネルを含む。
【００１１】
このような構成によれば、露出された粘着層の一部を利用して、粘着層付きパネルを施工対象に貼り付けることができる。
【００１２】
これにより、パネルを、施工対象の所望の位置に対して、仮止めすることができる。
【００１３】
本発明［３］は、前記分離部が、前記延長部分が前記貼付部分に折り重ねられた状態で、前記パネルから突出する第２タブを有する、上記［２］の粘着層付きパネルを含む。
【００１４】
このような構成によれば、パネルから突出する第２タブをつまんで、分離部を本体部から分離することができる。
【００１５】
本発明［４］は、前記延長部分が、前記パネルの他方面を覆うように、前記パネルに対して前記粘着層の反対側に折り返すことができる、上記［１］〜［３］のいずれか１つの粘着層付きパネルを含む。
【００１６】
このような構成によれば、延長部分をパネルに対して粘着層の反対側に折り返すことにより、粘着層が積層されるパネルの一方面とは反対側の他方面を、保護することができる。
【００１７】
本発明［５］は、パネルに粘着層を積層するためのセパレーター付き粘着層であって、前記粘着層が前記パネルに積層されたときに前記パネルに接触する第１面と、前記粘着層が前記パネルに積層されたときに前記第１面に対して前記パネルの反対側に配置される第２面とを有する粘着層と、前記粘着層の前記第１面に積層され、前記粘着層が前記パネルに積層されるときに、前記粘着層から剥離される第１セパレーターと、前記粘着層の第２面に積層される第２セパレーターとを備え、前記第２セパレーターが、前記粘着層を覆うように前記粘着層に貼り付けられる貼付部分と、前記貼付部分から延び、前記貼付部分に折り重ねることができる延長部分とを有し、前記延長部分が、前記延長部分が前記貼付部分に折り重ねられた状態で、前記パネルから突出する第１タブを有し、前記第２セパレーターが、前記延長部分が前記貼付部分に折り重ねられた状態で、前記第１タブが引っ張られることにより、前記粘着層から剥離可能である、セパレーター付き粘着層を含む。
【００１８】
このような構成によれば、第１セパレーターを剥離して、粘着層の第１面を露出させた後、粘着層の第２面に第２セパレーターが積層された状態で、粘着層の第１面がパネルの裏面と接触するように、パネルに粘着層を積層するという簡易な工程で、粘着層付きパネルを製造することができる。
【００１９】
本発明［６］は、粘着層を覆うためのセパレーターであり、前記粘着層に貼り付けられる貼付部分と、前記貼付部分から延び、前記貼付部分に折り重ねることができる延長部分とを有し、前記貼付部分が、本体部と、前記本体部から分離可能であり、前記本体部から分離されることにより、前記粘着層の一部を露出できる分離部とを有し、前記延長部分が、前記延長部分が前記貼付部分に折り重ねられた状態で、前記貼付部分から突出する第１タブを有し、前記分離部が、前記延長部分が前記貼付部分に折り重ねられた状態で、前記貼付部分から突出する第２タブを有する、セパレーターを含む。
【００２０】
このような構成によれば、延長部分を貼付部分に折り重ねて、施工対象に対する粘着層の位置を決め、その位置を維持した状態で、第１タブを引っ張って、セパレーターを粘着層から剥離しながら、粘着層を施工対象に貼り付けることができる。
【００２１】
その結果、粘着層を、施工対象の所望の位置に対して、円滑に貼り付けることができる。
【００２２】
また、施工対象に対する粘着層の位置を決めるときに、第２タブをつまんで、分離部を本体部から分離し、露出された粘着層の一部により、粘着層を、施工対象の所望の位置に対して、仮止めすることができる。
【００２３】
本発明［７］は、上記［１］〜［４］のいずれか１つの粘着層付きパネルを施工対象に施工する施工方法であって、前記第１タブが前記パネルから突出するように、前記延長部分を前記貼付部分に折り重ねる折り重ね工程と、前記延長部分を前記貼付部分に折り重ねた状態で、前記延長部分と前記貼付部分とが前記粘着層と前記施工対象との間に配置されるように、前記施工対象に対する前記パネルの位置を決める位置決め工程と、前記第１タブを引っ張って前記セパレーターを前記粘着層から剥離しつつ、前記粘着層を前記施工対象に貼り付ける貼付工程とを含む、粘着層付きパネルの施工方法を含む。
【００２４】
このような方法によれば、パネルを、施工対象の所望の位置に対して、円滑に貼り付けることができる。
【発明の効果】
【００２５】
本発明の粘着層付きパネル、および、粘着層付きパネルの施工方法によれば、パネルを、施工対象の所望の位置に対して、円滑に貼り付けることができる。
【００２６】
また、本発明のセパレーター付き粘着層によれば、粘着層付きパネルを容易に製造することができる。
【００２７】
また、本発明のセパレーターによれば、粘着層を、施工対象の所望の位置に対して、円滑に貼り付けることができる。
【図面の簡単な説明】
【００２８】
【図１】図１は、本発明の粘着層付きパネルの一実施形態の斜視図である。
【図２】図２は、図１に示す粘着層付きパネルの断面図である。
【図３】図３は、図１に示すセパレーターの平面図である。
【図４】図４Ａは、図１に示す粘着層付きパネルであって、延長部分が貼付部分に折り重ねられた状態を示す。図４Ｂは、図１に示す粘着層付きパネルであって、延長部分がパネルの表面を覆っている状態を示す。
【図５】図５Ａは、本発明のセパレーター付き粘着剤の一実施形態の断面図である。図５Ｂは、本発明の粘着層付きパネルの一実施形態の製造を説明するための説明図である。
【図６】図６Ａは、本発明の粘着層付きパネルの施工方法の一実施形態を説明するための説明図であって、折り重ね工程を示す。図６Ｂは、図６Ａに続き、位置決め工程を示す。
【図７】図７は、図６Ｂに続き、貼付工程を示す。
【図８】図８は、図７に続き、施工対象に対するパネルの貼り付けが完了した状態を示す。
【発明を実施するための形態】
【００２９】
図１および図２に示す粘着層付きパネル１は、後述する施工対象Ｗ（図８参照）にパネル２を貼り付けるために用いられる。施工対象Ｗとしては、特に限定されず、家屋の外装の壁面や内装の壁面、床面などが挙げられる。粘着層付きパネル１は、パネル２と、粘着層３と、セパレーター４とを備える。
【００３０】
パネル２は、所定の厚みを有する平板である。パネル２の材質は、特に限定されず、例えば、セラミックス、金属、硬質の樹脂などが挙げられる。パネル２は、表面２Ａと、裏面２Ｂとを有する。表面２Ａは、加飾されていてもよい。パネル２としては、具体的には、タイルやフローリング材が挙げられる。
【００３１】
粘着層３は、パネル２の裏面２Ｂ（一方面）に積層される。粘着層３は、パネル２と粘着層３とが積層される方向において、第１面Ｓ１と第２面Ｓ２とを有する。パネル２と粘着層３とが積層される方向を、積層方向と定義する。第１面Ｓ１は、粘着層３がパネル２に積層されたときに、パネル２の裏面２Ｂに接触する。第１面Ｓ１は、粘着性（タック性）を有する。粘着層３は、第１面Ｓ１の粘着性により、パネル２の裏面２Ｂに貼り付けられる。第２面Ｓ２は、粘着層３がパネル２に積層されたときに、第１面Ｓ１に対してパネル２の反対側に配置される。第２面Ｓ２は、粘着性を有する。粘着層３は、パネル２の裏面２Ｂに沿って延びる。パネル２の裏面２Ｂが延びる方向を、面方向と定義する。粘着層３は、積層方向に厚みを有する。粘着層３は、積層方向に変形可能である。詳しくは、粘着層３は、作業者が粘着層付きパネル１を施工対象Ｗに押し付けたときに、作業者の押圧力により、変形可能である。粘着層３は、例えば、弾性層と、積層方向における弾性層の両面（第１面Ｓ１、第２面Ｓ２）に塗布される粘着剤とにより形成されてもよい。また、粘着層３は、粘着剤のみから形成されてもよい。
【００３２】
弾性層としては、積層方向に弾性変形可能であれば特に限定されず、例えば、ポリウレタンなどの樹脂や、エチレン・プロピレンゴムなどのゴムから作られる発泡体が挙げられる。
【００３３】
粘着剤としては、施工対象Ｗにパネル２を貼り付けることができれば特に限定されず、例えば、ゴム系粘着剤、アクリル系粘着剤、シリコーン系粘着剤、ウレタン系粘着剤などが挙げられる。
【００３４】
粘着層３の厚みは、例えば、０．１ｍｍ以上、好ましくは、０．１５ｍｍ以上であり、例えば、５．０ｍｍ以下、好ましくは、３．０ｍｍ以下である。
【００３５】
粘着層３の厚みが上記した下限値以上であると、後述する位置決め工程（図６Ｂ参照）において、粘着層３と施工対象Ｗとの間にセパレーター４が挟まった状態で、粘着層付きパネル１を施工対象Ｗに押し付けたときに、粘着層３を容易に変形させることができ、セパレーター４から露出した粘着層３の一部を施工対象Ｗに接触させることができる。粘着層３の厚みが上記した上限値以下であると、粘着層３が面方向に変形することを抑制できる。
【００３６】
セパレーター４は、粘着層３に対してパネル２の反対側に積層される。セパレーター４は、粘着層３の第２面Ｓ２に積層される。セパレーター４は、第２面Ｓ２の粘着力により、第２面Ｓ２に貼り付けられる。セパレーター４は、粘着層３の全面を覆う。セパレーター４は、可撓性を有し、面方向に延びる。セパレーター４は、フィルム形状を有する。
【００３７】
セパレーター４は、粘着層３から剥離可能である。セパレーター４としては、例えば、ポリエチレン、ポリプロピレン、ポリエチレンテレフタレートなどの樹脂からなるフィルムを基材とする剥離フィルム、例えば、紙を基材とする剥離紙などが挙げられる。セパレーター４は、粘着層３からの剥離性を確保するために、粘着層３と接触する表面に、例えば、シリコーン樹脂などの剥離剤からなる薄膜を有してもよい。
【００３８】
セパレーター４は、図２および図３に示すように、貼付部分５と、延長部分６とを有する。なお、以下のセパレーター４の説明において、貼付部分５と延長部分６とが連続する方向を連続方向と定義する。また、連続方向において、貼付部分５側を一方側、延長部分６側を他方側と定義する。また、連続方向および積層方向の両方と直交する方向を幅方向と定義する。連続方向および幅方向は、面方向に含まれる。
【００３９】
貼付部分５は、連続方向の一方側において、セパレーター４の略半分を構成する。貼付部分５は、粘着層３に貼り付けられる。貼付部分５は、粘着層３の全面を覆う。これにより、セパレーター４は、粘着層付きパネル１が使用される前において、粘着層３を保護する。また、貼付部分５は、積層方向において、パネル２と重なる。貼付部分５は、本体部７と、複数（２つ）の分離部８Ａ、８Ｂとを有する。
【００４０】
本体部７は、貼付部分５のうち、分離部８Ａ、８Ｂ以外の部分である。
【００４１】
分離部８Ａ、８Ｂは、連続方向において、セパレーター４の略中央に配置される。詳しくは、分離部８Ａ、８Ｂは、連続方向において、貼付部分５と延長部分６とが連続する部分（境界部分）に配置される。分離部８Ａは、幅方向において、セパレーター４の一端部に配置される。詳しくは、分離部８Ａは、セパレーター４の幅方向一端部に形成される切欠き９Ａ内に配置される。分離部８Ｂは、幅方向において、セパレーター４の他端部に配置される。詳しくは、分離部８Ｂは、セパレーター４の幅方向他端部に形成される切欠き９Ｂ内に配置される。分離部８Ａ、８Ｂのそれぞれは、連続方向に延びる。分離部８Ａ、８Ｂのそれぞれは、半円形状を有する。分離部８Ａ、８Ｂは、本体部７から分離可能である。なお、分離部８Ａ、８Ｂは、本体部７から切り離された状態で、粘着層３に貼り付けられていてもよい。また、分離部８Ａ、８Ｂは、切断可能なジョイント（図示せず）を介して本体部７に対して切り離し可能に接続された状態で、粘着層３に貼り付けられていてもよい。
【００４２】
分離部８Ａ、８Ｂのそれぞれは、被覆部１０と、タブ１１（第２タブ）とを有する。なお、分離部８Ａ、８Ｂは、互いに同じ形状を有する。そのため、以下の説明において、分離部８Ａについて詳細に説明し、分離部８Ｂについての説明を省略する。
【００４３】
被覆部１０は、連続方向の一方側において、分離部８Ａの略半分を構成する。被覆部１０は、粘着層３の一部を被覆する。詳しくは、被覆部１０は、粘着層３の連続方向他端部の一部を被覆する。より具体的には、被覆部１０は、粘着層３の連続方向他端部かつ幅方向一端部に位置するコーナーを被覆する。分離部８Ａが本体部７から分離されることにより、被覆部１０が粘着層３の一部から剥離され、粘着層３の一部が露出される。すなわち、分離部８Ａは、本体部７から分離されることにより、粘着層３の一部を露出できる。
【００４４】
タブ１１は、連続方向の他方側において、分離部８Ａの略半分を構成する。タブ１１は、作業者が分離部８Ａを粘着層３から剥離するときに、作業者によってつままれる。タブ１１は、粘着層３に貼り付けられていない。タブ１１は、延長部分６が貼付部分５に折り重ねられた状態（図４Ａ参照）で、パネル２から突出する。また、タブ１１は、延長部分６が貼付部分５に折り重ねられた状態で、貼付部分５から突出する。
【００４５】
延長部分６は、連続方向の他方側において、セパレーター４の略半分を構成する。延長部分６は、貼付部分５と連続する。延長部分６は、貼付部分５から、連続方向の他方側に向かって延びる。延長部分６は、積層方向において、パネル２（図２参照）と重ならない。
【００４６】
延長部分６は、図４Ａに示すように、延長部分６と貼付部分５と連続する部分でセパレーター４を折り曲げることにより、貼付部分５に折り重ねることができる。延長部分６は、貼付部分５に折り重ねられた状態で、積層方向において、貼付部分５に対して、粘着層３の反対側に配置される。また、延長部分６は、貼付部分５に折り重ねられた状態で、分離部８Ａの被覆部１０を露出する。詳しくは、切欠き９Ａのうち、セパレーター４を折り曲げる前にタブ１１が位置していた部分が、セパレーター４を折り曲げることにより、被覆部１０に重なり、被覆部１０を露出する。
【００４７】
また、延長部分６は、図４Ｂに示すように、パネル２の表面２Ａ（他方面）を覆うように、パネル２に対して粘着層３の反対側に折り返すことができる。これにより、延長部分６によって、パネル２の表面２Ａを保護することができる。
【００４８】
また、延長部分６は、図３に示すように、タブ１２（第１タブ）を有する。
【００４９】
タブ１２は、連続方向において、延長部分６の他端部に配置される。タブ１２は、連続方向において、延長部分６の他端部から他方側へ突出する。タブ１２は、半円形状を有する。タブ１２は、図４Ａに示すように、延長部分６が貼付部分５に折り重ねられた状態で、パネル２から突出する。詳しくは、タブ１２は、延長部分６が貼付部分５に折り重ねられた状態で、面方向において、粘着層３に対して、セパレーター４が折り曲げられた部分（延長部分６と貼付部分５とが連続する部分）の反対側に位置する。また、タブ１２は、延長部分６が貼付部分５に折り重ねられた状態で、面方向において、粘着層３に対して、タブ１１の反対側に位置する。また、タブ１２は、延長部分６が貼付部分５に折り重ねられた状態で、貼付部分５から突出する。タブ１２は、後述する剥離工程（図７参照）において、作業者がセパレーター４を粘着層３から剥離するときに、作業者によってつままれる。セパレーター４は、延長部分６が貼付部分５に折り重ねられた状態で、タブ１２が引っ張られることにより、粘着層３から剥離可能である。
【００５０】
次いで、粘着層付きパネル１の製造について説明する。
【００５１】
粘着層付きパネル１を製造するには、まず、図５Ａに示すように、セパレーター付き粘着層２０を準備する。
【００５２】
セパレーター付き粘着層２０は、パネル２に粘着層３およびセパレーター４を積層するための部材である。セパレーター付き粘着層２０は、上記した粘着層３と、セパレーター２１（第１セパレーター）と、上記したセパレーター４（第２セパレーター）とを備える。すなわち、セパレーター付き粘着層２０は、上記した粘着層付きパネル１（図２参照）のパネル２の代わりに、セパレーター２１を備える。
【００５３】
セパレーター２１は、積層方向において、粘着層３に対して、セパレーター４の反対側に配置される。セパレーター２１は、粘着層３の第１面Ｓ１に積層される。セパレーター２１は、粘着層３の粘着力により、第１面Ｓ１に貼り付けられる。セパレーター２１は、粘着層３の全面を覆う。セパレーター２１は、面方向に延びる。セパレーター２１は、フィルム形状を有する。セパレーター２１は、粘着層３から剥離可能である。セパレーター２１は、例えば、上記したセパレーター４と同じ材料からなる。なお、セパレーター２１は、セパレーター４と異なる材料からなってもよい。
【００５４】
次いで、粘着層付きパネル１を製造するには、図５Ｂに示すように、パネル２に粘着層３およびセパレーター４を積層する。詳しくは、まず、粘着層３の第１面Ｓ１からセパレーター２１を剥離して、第１面Ｓ１を露出させる。すなわち、セパレーター２１は、粘着層３がパネル２に積層されるときに、粘着層３から剥離される。次いで、粘着層３の第２面Ｓ２にセパレーター４が積層された状態で、粘着層３の第１面Ｓ１がパネル２の裏面２Ｂと接触するように、パネル２に粘着層３を積層する。これにより、粘着層付きパネル１（図２参照）が完成する。
【００５５】
すなわち、本実施形態のセパレーター付き粘着層２０によれば、セパレーター２１を剥離して、粘着層３の第１面Ｓ１を露出させた後、粘着層３の第２面Ｓ２にセパレーター４が積層された状態で、粘着層３の第１面Ｓ１がパネル２の裏面２Ｂと接触するように、パネル２に粘着層３を積層するという簡易な工程で、粘着層付きパネル１を製造することができる。
【００５６】
次いで、粘着層付きパネル１の施工方法について説明する。
【００５７】
粘着層付きパネル１の施工方法は、折り重ね工程（図６Ａ参照）と、位置決め工程（図６Ｂ参照）と、貼付工程（図７参照）とを含む。作業者は、粘着層付きパネル１を施工対象Ｗに施工するときに、折り重ね工程と、位置決め工程と、貼付工程とを、順次、実行する。
【００５８】
折り重ね工程では、図４Ａおよび図６Ａに示すように、作業者は、タブ１２がパネル２から突出するように、延長部分６を貼付部分５に折り重ねる。詳しくは、作業者は、延長部分６と貼付部分５とが連続する部分でセパレーター４を折り曲げることにより、延長部分６を貼付部分５に折り重ねる。
【００５９】
すると、延長部分６は、貼付部分５に対して、粘着層３の反対側に配置される。このとき、粘着層付きパネル１が分離部８Ａを備える場合、分離部８Ａの被覆部１０の少なくとも一部は、延長部分６と重ならない。詳しくは、被覆部１０の少なくとも一部は、切欠き９Ａ（詳しくは、切欠き９Ａのうちの、セパレーター４を折り曲げる前にタブ１１が位置していた一部）を介して、露出される。なお、分離部８Ｂ（図３参照）の被覆部１０の少なくとも一部も同様に、切欠き９Ｂ（図３参照）を介して、露出される。
【００６０】
また、タブ１２は、面方向において、粘着層３に対して、セパレーター４が折り曲げられた部分（延長部分６と貼付部分５とが連続する部分）の反対側に位置する。また、タブ１２は、面方向において、粘着層３に対して、タブ１１の反対側に位置する。
【００６１】
次いで、位置決め工程では、図６Ｂに示すように、作業者は、延長部分６を貼付部分５に折り重ねた状態で、延長部分６と貼付部分５とが粘着層３と施工対象Ｗとの間に配置されるように、施工対象Ｗに対するパネル２の位置を決める。
【００６２】
詳しくは、粘着層付きパネル１が分離部８Ａ、８Ｂを備える場合、作業者は、タブ１１をつまんで、分離部８Ａ、８Ｂを本体部７から切り離す。すると、分離部８Ａ、８Ｂによって覆われていた粘着層３の一部が、切欠き９Ａ、９Ｂを介して、露出される。作業者は、露出された粘着層３の一部を利用して、粘着層付きパネル１を施工対象Ｗに貼り付けることにより、パネル２を施工対象Ｗに対して仮止めする。これにより、延長部分６が貼付部分５に折り重ねられ、延長部分６と貼付部分５とが粘着層３と施工対象Ｗとの間に配置された状態で、パネル２が、施工対象Ｗに対して位置決めされる。
【００６３】
なお、施工対象Ｗに対するパネル２の位置を修正する場合、作業者は、粘着層付きパネル１を施工対象Ｗから剥がした後、施工対象Ｗに対するパネル２の位置を修正して、再度、粘着層付きパネル１を施工対象Ｗに貼り付ける。この場合、粘着層３の大部分が貼付部分５の本体部７によって覆われているので、粘着層３の粘着力の低下を抑制しつつ、施工対象Ｗに対するパネル２の位置を修正できる。
【００６４】
次いで、貼付工程では、図７に示すように、作業者は、タブ１２を引っ張って、セパレーター４を粘着層３から剥離しつつ、粘着層３を、施工対象Ｗに貼り付ける。
【００６５】
詳しくは、作業者は、パネル２を施工対象Ｗに向かって押しつけながら、タブ１２を、面方向において、セパレーター４が折り曲げられた部分に対して反対側に引っ張る。
【００６６】
すると、セパレーター４の延長部分６が、粘着層３と施工対象Ｗとの間から引き抜かれるに従って、貼付部分５が、粘着層３から剥離される。すると、粘着層３は、貼付部分５が剥離された箇所から順に、施工対象Ｗに貼り付けられる。
【００６７】
そして、図８に示すように、セパレーター４の全てが、粘着層３と施工対象Ｗとの間から引き抜かれると、全ての粘着層３が施工対象Ｗに貼り付けられ、パネル２は、粘着層３により施工対象Ｗに貼り付けられる。
【００６８】
これにより、粘着層付きパネル１の施工対象Ｗに対する施工が完了する。
【００６９】
この粘着層付きパネル１、および、粘着層付きパネル１の施工方法によれば、図４Ａおよび図６Ａに示すように、セパレーター４の延長部分６に設けられるタブ１２が、延長部分６が貼付部分５に折り重ねられた状態で、パネル２から突出する。
【００７０】
そのため、延長部分６を貼付部分５に折り重ねて、タブ１２を引っ張るという作業で、セパレーター４を粘着層３から剥離することができる。
【００７１】
これにより、図６Ａから図７に示すように、延長部分６を貼付部分５に折り重ねて（折り重ね工程）、施工対象Ｗに対するパネル２の位置を決め（位置決め工程）、その位置を維持した状態で、タブ１２を引っ張って、セパレーター４を粘着層３から剥離しながら、粘着層３を施工対象Ｗに貼り付ける（貼付工程）ことができる。
【００７２】
その結果、パネル２を、施工対象Ｗの所望の位置に対して、円滑に貼り付けることができる。
【００７３】
また、この粘着層付きパネル１によれば、図６Ｂに示すように、分離部８Ａ、８Ｂが本体部７から分離されることにより、粘着層３の一部が露出される。
【００７４】
そのため、露出された粘着層３の一部を利用して、粘着層付きパネル１を施工対象Ｗに貼り付けることができる。
【００７５】
これにより、パネル２を、施工対象Ｗの所望の位置に対して、仮止めすることができる。
【００７６】
また、この粘着層付きパネル１によれば、図４Ａおよび図６Ａに示すように、分離部８Ａ、８Ｂのそれぞれは、タブ１１を有し、タブ１１は、延長部分６が貼付部分５に折り重ねられた状態で、パネル２から突出する。
【００７７】
そのため、タブ１１をつまんで、分離部８Ａ（または分離部８Ｂ）を、本体部７から分離することができる。
【００７８】
また、この粘着層付きパネル１によれば、図４Ｂに示すように、延長部分６をパネル２に対して粘着層３の反対側に折り返して、パネル２の表面２Ａを覆うことができる。
【００７９】
これにより、使用前において搬送および保管されるパネル２の表面２Ａを、保護することができる。
【００８０】
また、この粘着層付きパネル１に設けられるセパレーター４（図３参照）によれば、図４Ａおよび図６Ａに示すように、延長部分６に設けられるタブ１２が、延長部分６が貼付部分５に折り重ねられた状態で、貼付部分５から突出する。
【００８１】
そのため、図６Ａから図７に示すように、延長部分６を貼付部分５に折り重ねて、施工対象Ｗに対する粘着層３の位置を決め、その位置を維持した状態で、タブ１２を引っ張って、セパレーター４を粘着層３から剥離しながら、粘着層３を施工対象Ｗに貼り付けることができる。
【００８２】
その結果、粘着層３を、施工対象Ｗの所望の位置に対して、円滑に貼り付けることができる。
【００８３】
また、このセパレーター４によれば、図４Ａおよび図６Ａに示すように、粘着層３の一部を覆う分離部８Ａ、８Ｂのそれぞれが、タブ１１を有し、タブ１１は、延長部分６が貼付部分５に折り重ねられた状態で、パネル２から突出する。
【００８４】
そのため、施工対象Ｗに対する粘着層３の位置を決めるときに、タブ１１をつまんで、分離部８Ａ、８Ｂを粘着層３から剥離し、露出された粘着層３の一部により、粘着層３を、施工対象Ｗの所望の位置に対して、仮止めすることができる。
【００８５】
なお、上記した実施形態では、セパレーター４の境界部分（貼付部分５と延長部分６とが連続する部分）の幅方向両端部に分離部８Ａ、８Ｂを設けているが、分離部の個数および位置は、特に限定されず、適宜設定できる。例えば、分離部は、セパレーター４の境界部分の幅方向中央に、１つ設けられてもよい。
【００８６】
また、セパレーター４は、分離部を有さなくてもよい。この場合、作業者は、例えば、パネル２を施工対象Ｗに強めに押しつけることにより、施工対象Ｗに対するパネル２の位置を決め、そのまま（施工対象Ｗに対するパネル２の位置を維持した状態で）、セパレーター４を剥がすことができる。
【００８７】
また、タブ１２は、延長部分６が貼付部分５に折り重ねられた状態でパネル２から突出すれば、個数、形状、幅方向における位置について、特に限定されない。例えば、タブ１２は、延長部分６の幅方向両端に１つずつ（合計２つ）設けられてもよく、また、三角形状や矩形状であってもよい。
【符号の説明】
【００８８】
１      粘着層付きパネル
２      パネル
２Ａ    表面
２Ｂ    裏面
３      粘着層
４      セパレーター
５      貼付部分
６      延長部分
７      本体部
８Ａ    分離部
８Ｂ    分離部
１０    被覆部
１１    タブ
１２    タブ
２０    セパレーター付き粘着層
２１    セパレーター
Ｓ１    第１面
Ｓ２    第２面
Ｗ      施工対象
【図１】
2019065653.tif 000003
【図２】
2019065653.tif 000004
【図３】
2019065653.tif 000005
【図４】
2019065653.tif 000006
【図５】
2019065653.tif 000007
【図６】
2019065653.tif 000008
【図７】
2019065653.tif 000009
【図８】
2019065653.tif 000010